(57)【要約】【課題】【解決手段】本発明は、写生画を作成するために使用することができる画家用の光学装置に関し、装置は、複製されるシーン、画像又はモデルと作業面との間で、観察者に面して配置される。装置は、互いに対向して配置される少なくとも２つのミラー（３，４）を有する支援構造体（２）を備え、両ミラーは、装置（１）の前部に配置され、第１のミラー（３）によって受容される像が第２のミラー（４）で反射され、第２のミラーで反射された像が装置（１）の後部に位置する観察者によって受容されるように、構造体の裏面に対して約４５度の角度を形成するように配置される。受容された反射像の配向を制御し、必要に応じて調節するために、ミラーのうち１つは、構造体（２）の裏面（２ａ）に対して、従って、第１のミラー（３）に対して位置する角度（ａ）を変えるように旋回することができる。第２のミラー（４）は、傾くことができ、またミラー（４）が配置されるプレート（６）に堅固に接続された軸（５）を支点として移動可能なカップリング手段によって構造体（２）に固定され、プレートは、構造体（２）に設けられて湾曲した溝（８）に沿って移動可能なスプリング（７）の動きによって、手動により軸（５）の周りに旋回、移動することができる。構造体は、側面のそれぞれの壁によって囲まれたケースの形を取り、複製される像が受容され、反射される開口部（２ｃ、２ｂ）を有する。構造体（２）により形成されるケースの開口部は、前面（２ｄ）に設けられた長方形の開口部（２ｃ）と、裏面（２ａ）に設けられ、観察者（ｏ）に向かって配向された円形の開口部（２ｂ）から成る。【選択図】図３
2020510246.tif 000002
【特許請求の範囲】
【請求項１】
複製されるシーン、絵画又はモデルと作業面との間で、画家又はデザイナーの正面に配置された場合、実物のモデルを複製する際に前記画家又はデザイナーにとって役立つことを目的とする画家用の光学装置（１）であって、
互いに対向して配置される少なくとも２つのミラー（３，４）を有する支援構造体（２）であって、両ミラーは、第１のミラー（３）によって捕捉された前記光学装置（１）の後部の像（ｅ）が第２のミラー（４）で反射され、前記第２のミラー（４）で反射された前記像が、前記光学装置（１）の後部に位置する観察者（ｏ）によって受容されるように前記支援構造体の裏面（２ａ）から約４５度の角度を形成して配置される支援構造体（２）を備え、
収集された前記像の前記反射の配向を調整し、適切に調節するために、ミラーのうちの少なくとも１つ、例えば第２のミラー（４）を揺動させ、前記支援構造体（２）の前記裏面（２ａ）からの、前記第１のミラー（３）からの位置の角度（ａ）を変更可能な画家用の光学装置。
【請求項２】
請求項１に記載の画家用の光学装置であって、
前記第２のミラー（４）は、揺動し、前記ミラー（４）が取り付けられるプレート（６）と連結する軸（５）の可動ジョイントによって前記支援構造体（２）に固定されている画家用の光学装置。
【請求項３】
請求項２に記載の画家用の光学装置であって、
前記第２のミラー（４）は、揺動し、前記支援構造体（２）に配置され、ガイドとして作用するアーチ状の溝（８）に沿って延びているスプリング（７）の動きによって、手動で前記軸（５）の周りに旋回する画家用の光学装置。
【請求項４】
請求項１乃至３のいずれかに記載の画家用の光学装置であって、
前記支援構造体（２）は、各側面に壁を有する閉じたボックスであり、前記複製される像が捕捉され、反射される２つの開口部（２ｃ、２ｂ）を有する画家用の光学装置。
【請求項５】
請求項４に記載の画家用の光学装置であって、
前記支援構造体（２）を画定する前記ボックスの前記開口部は、前記ボックスの前面（２ｄ）に設けられ、前記像（ｅ）に面する長方形の開口部（２ｃ）と、裏面（２ａ）に設けられ、前記観察者（ｏ）に面する円形の開口部（２ｂ）とを有する画家用の光学装置。
【発明の詳細な説明】
【技術分野】
【０００１】
発明の対象
本発明は、本明細書中に示されるように、意図する目的に対して利点と新規な機能とを提供する画家用の光学装置に関するものであり、下記において詳細に説明する。
【０００２】
本発明の対象は、実物のモデルを複製するために、画家又はデザイナー用のツールとしての役割を果たすことを目的とする装置であり、その目的のために、装置は、複製されるシーン又は像と作業する表面との間に正面視で適切に設置された場合、両方の像がオーバーラップする光学効果を提供するように効果的に配置されたミラーを有するボックスにより構成される。
【０００３】
本発明の適用分野
本発明の適用分野は、光学設備、光学装置及び光学器具の産業部門内であり、より具体的には、フリーハンドの絵画及びデザイン作品のための支援ツールとして使用されるものの範囲に焦点を当てている。
【背景技術】
【０００４】
絵画とデザインの分野において、適正な比率を保ちながら、芸術家がモデルを複製又はトレースする及び／又は絵画を適切に表示することに役立つ多くの方法及び装置が知られている。しかしながら、例えば、絵画をトレースすることに対して、それらは、通例、電源を必要とする大掛かりな装置であり、また印刷された絵画をトレースすることを可能にするのみであり、実物の像をトレースすることは不可能である。
【発明の概要】
【発明が解決しようとする課題】
【０００５】
従って、当該技術の現在の状態に対する基準として、本明細書中で言及される範囲において、様々な装置が市場において知られているが、ここに請求される画家用の光学装置によって具体的に特徴付けられるものと同一又は類似の技術的及び構造的特徴を有する装置は、少なくとも出願人が知る限りにおいて、存在しないことを言明する必要がある。
【０００６】
それ故、本発明によって提案される画家用の光学装置は、その適用分野内で新規なものとして構成され、その特徴的な詳細は本明細書の添付の特許請求の範囲で正式に言及される。より具体的には、上述したように、本発明は、実物のモデルを複製するときに画家又はデザイナーを支援するための装置を提案する。その装置は、基本的に対向するミラーの構造に基づいて構成され、複製される絵画又はモデルのシーンと、複製される絵画若しくはモデルが描かれ又は描画される紙若しくはキャンバスの表面との間で、配置されるべき適切な高さで観察者の前に適切に設定された場合に、両眼視差によって両方の像がオーバーラップする光学効果を観察者に提供するように構成されている。よく知られているように、両眼視差、水平視差、網膜視差又は立体視差（ステレオプシス：ステレオは立体を意味し、オプシスは、視覚又視野を意味する。）は視覚現象であり、それによって、各目の網膜に投影された２つのわずかに異なる像から、脳は、頭部の両目の位置の相違によって３次元像を再構成することができる。
【０００７】
実際、観察者又は芸術家が片目のみで注視した場合は、彼／彼女は、２つの像のうちの１つ、例えば、ミラーで反射された複製されるシーンの像を見るのみであり、また、彼／彼女がもう一方の目で注視した場合は、彼／彼女は、他の像、この場合は、彼／彼女が作業する表面の像を見る。しかしながら、彼／彼女が両方の目で見た場合は、頭部の両方の目の間の間隔によって、彼／彼女はオーバーラップした両方の像をみる光学効果が生じ、これによって、彼／彼女が、描こうとする実物のシーン又は実物のモデルを描くことを可能にし、迅速かつ正確な描画を遂行することができる。
【０００８】
さらに、本発明の装置により提供される本オーバーラップ効果により、見ながらの作業、すなわち、広く知られているように、芸術家に対して見えるとおりに、１：１のスケールで、対象を描くための描画及び絵画方法であるサイズメソッドも可能になる。それによって、芸術家は、まず、観察者と描画の表面が同じサイズを有するように見える視点を定め、そして、水準器、ミラー、鉛直器、チェーンとスティックを含む場合がある、一連の測定具を用いて、芸術家は、視点から見た場合に、描画と対象がちょうど同じサイズになるように、対象を描く。
【課題を解決するための手段】
【０００９】
この効果のために、より具体的な方法で、本発明の装置は、基本的に、互いに対向して配置される少なくとも２つのミラーを特徴とする支援構造体を備える。両ミラーは、ペリスコープと同様に、すなわち、第１のミラーによって捕捉された像、つまり装置の反対側（前部）の複製されるシーンの反射光が、前記第１のミラーと対向する第２のミラーで反射され、前記第２のミラーで反射された前記像が、本発明の前記装置の反対側（後部）に位置する観察者によって受容されるように、前記構造体の裏面から約４５度の角度を成している。
【００１０】
好適には、ミラーのうちの１つは、入射した像の反射を位置決めし、上述のオーバーラッピング効果によって、作業面に適合するように調節するために、両ミラー間の角度をわずかに変えるように、すなわち、前記構造体からのその位置、従って、もう一方のミラーとの平行度を変えるように揺動する可動継手により前記構造体に固定される。好適な実施形態における揺動するミラーによるそのような動きの可能性は、手動にて実現可能であり、従って、装置は電源を必要としない。最後に、好適には、ミラーを有する前記支援構造体は、複製される前記像が捕捉され反射される２つの開口部を除いてその側面の全てが閉じられたボックスであることに留意する必要がある。それによって、不要な明るさ又は反射の発生を防止し、絵画の完全なフレーミングを提供する。
【００１１】
従って、説明された画家用の光学装置は、これまで知られていない特徴を有する革新的な構造で構成され、その有用性と共に、請求された排他的権利を得るための十分な根拠を与える。
【図面の簡単な説明】
【００１２】
本説明を補完するために、また本発明の特徴のより良い理解に役立たせることを目的として、例示的かつ非限定的に、本明細書に一連の図面を添付する。それらは以下のとおりである。
【図１】本発明の対象である画家用光学装置の例示の実施形態の後部の概略図を示し、その外部の全体的なセッティングを示す。
【図２】本発明の対象である、画家用光学装置の例示の実施形態の前部の概略図を示し、その外部の全体的なセッティングを示す。
【図３】図１及び図２に示される、本発明に係る画家用光学装置の後部の分解斜視図を示し、包含される部品及び構成要素を示す。
【図４】使用中の本発明の装置の上面概略図を示し、破線によりシミュレートされた方法で、動作及び観察者に対する光学効果を示す。
【発明を実施するための形態】
【００１３】
前述の図面を考慮して、また記載された番号に従って、以下に詳細に示され、説明される部品と要素を備える本発明の画家用の光学装置の非限定的な例を示す。
【００１４】
従って、図面に示されるように、本発明の装置（１）は、本質的には、互いに対向して配置される少なくとも２つのミラー（３，４）を特徴とする支援構造体（２）を備える。両ミラーは、第１のミラー（３）によって捕捉され、装置（１）の前部に配置され、表示されるシーン（ｅ）の像が、第１のミラー（３）に面する第２のミラー（４）で反射され、第２のミラー（４）で反射された像が、装置の後部の観察者（ｏ）によって受容されるように、構造体（２）の裏面（２ａ）から約４５度の角度を形成するように配置されている。
【００１５】
ミラーのうちのひとつ、例えば、第２のミラー（４）は揺動し、その結果、捕捉された像の配向を調整し、適切に調節するために、構造体（２）の裏面（２ａ）から、従って、第１のミラー（３）からのその位置角度（ａ）を変えることができる。
【００１６】
好適には、第２のミラー（４）は揺動し、そして、第２のミラー（４）が取り付けられたプレート（６）に取り付けられた軸（５）の可動ジョイントによって構造体（２）に固定される。その結果、捕捉された像の反射の配向を調整し、適切に調節するために、裏面（２ａ）から、従って、第１のミラー（３）からのその位置角度（ａ）を変えるための第２のミラー（４）の揺動が可能になる。
【００１７】
好適な実施形態において、このような揺動するミラー（４）の可能性は、軸（５）の反対側の端部に設置されたスプリング（７）の動きによって手動にて実現することができる。スプリング（７）は、この目的のために支援構造体（２）に作られ、そしてガイドとして作用するアーチ状の溝（８）の中に延びている。
【００１８】
好適な実施形態において、このような構造体（２）は、それの側面のそれぞれに壁を有する閉じたボックスであり、表示される像が捕捉され、反射される２つの開口部（２ｃ、２ｂ）を有する。より具体的には、このような開口部は、図４に示されるように、装置（１）の構造体（２）を画定するボックスの前面（２ｄ）に設けられ、像（ｅ）に向かって配向される長方形の開口部（２ｃ）と、構造体（２）を画定するボックスの裏面（２ａ）に設けられた円形の開口部（２ｂ）とから成る。
【００１９】
図４は、複製されるシーン（ｅ）の像と作業面（ｓ）との間の観察者（ｏ）に面する装置（１）の動作と、その使用方法を概略的に表す。その結果、観察者（ｏ）が両目ｑ）で注視する場合、彼／彼女の脳は、彼／彼女の前に設定された像をオーバーラップしているように彼／彼女に見えさせる、それによって、彼／彼女が、迅速かつ正確な方法で、観察された対象をその形状と大きさでトレースされたように描くこと又は描画することを可能にする。
【００２０】
一旦、本発明の本質及びその実施方法が十分説明された場合、その範囲と得られる利点を理解するために、さらなる説明は本事案の専門家に対して必要ではないと考えられるが、その本質を維持しながら、説明された例示の実施形態とは異なる詳細を特徴とし、また、基本原理を変質、変更又は修正しない限り、付与された保護の対象にもなる他の実施形態で実施することができることに留意されたい。
【図１】
2020510246.tif 000003
【図２】
2020510246.tif 000004
【図３】
2020510246.tif 000005
【図４】
2020510246.tif 000006
【国際調査報告】
2020510246.tif 000007
2020510246.tif 000008
2020510246.tif 000009
2020510246.tif 000010
2020510246.tif 000011
2020510246.tif 000012